(57)【要約】【課題】任意の長さに切断して電柱などの柱状構造物を設置する箇所に予め埋設しておく建柱作業用補助具に関し、側面の切断位置から刃先が逃げることなく切断できるようにして、使用する柱状構造物の下端部の寸法形状に応じた長さに容易に調整できるようにすること。【解決手段】電柱の下端部よりも大きめの円筒形状に形成されて、掘削穴内に設置した後に前記電柱の下端部を内部に差し込んだ状態にして該電柱の下端部との間を埋め戻すことにより電柱を所望の位置に立てる建柱作業に用いられる補助具１０であって、電柱の種別に応じた長さおよび太さの前記下端部を内部に差込可能な寸法の円筒形状に形成されており、前記筒形状の側面には、前記柱状構造物の種別に応じた長さ毎に切断溝１１が形成されている。また、前記筒形状の側面には、貫通穴１２が開口している。【選択図】図１
2011021438.tif 000002
【特許請求の範囲】
【請求項１】
柱状構造物の下端部よりも大きめの筒形状に形成されて、掘削穴内に設置した後に前記柱状構造物の下端部を内部に差し込んだ状態にして該柱状構造物の下端部との間を埋め戻すことにより柱状構造物を所望の位置に立てる建柱作業に用いられる補助具であって、
利用対象にされている前記柱状構造物の種別に応じた長さおよび太さの前記下端部を内部に差込可能な寸法の前記筒形状に形成されており、
前記筒形状の側面には、前記柱状構造物の種別に応じた長さ毎に対応する位置に凹部が形成されていることを特徴とする建柱作業用補助具。
【請求項２】
前記筒形状の側面には、内部に貫通する貫通穴が複数開口していることを特徴とする請求項１に記載の建柱作業用補助具。
【発明の詳細な説明】
【技術分野】
【０００１】
本発明は、建柱作業用補助具に関し、詳しくは、電柱などの柱状構造物を設置する箇所に予め埋設しておくものに関する。
【背景技術】
【０００２】
電柱などの柱状構造物を所望の位置に立てて設置する建柱作業としては、地面を掘削した穴内にその柱状構造物の下端部を埋設することが一般的に行なわれており（例えば、特許文献１、２）、地盤が脆弱な場合には、有底の円筒部材を埋設してその円筒部材内に柱状構造物を差し込んで立てた状態に保持することも提案されている（例えば、特許文献３、４）。
【０００３】
その一方で、土木工事などで形成する斜面（法面）や敷設するコンクリートブロック内などに電柱等の柱状構造物を設置する必要がある場合には、先にその柱状構造物を立ててしまうと工事の工程を複雑にしてしまうことから、予め簡易な単なる円筒形状の先行管（建柱作業用補助具）を所望の設置位置に埋設しておくことが多用されている。
【先行技術文献】
【特許文献】
【０００４】
【特許文献１】特開平８−２９６３４５号公報
【特許文献２】特開平１１−３２３９６１号公報
【特許文献３】特開２００３−３３６２５７号公報
【特許文献４】特開２００４−８４２６８号公報
【発明の概要】
【発明が解決しようとする課題】
【０００５】
しかしながら、このような簡易な形状の先行管にあっては、柱状構造物の種別毎に準備されているわけではなく、内部に差し込んで埋設する下端部の長さに応じて切断することにより使用するのが一般的である。この先行管は、単なる円筒形状であるために、その側面にグラインダなどの刃物を当てて切断するにしても、その刃先が逃げてしまい所望の位置で切断することが難しい、という問題があった。
【０００６】
そこで、本発明は、側面の切断位置から刃先が逃げることなく切断できるようにして、使用する柱状構造物の下端部の寸法形状に応じた長さに容易に調整することのできる建柱作業用補助具を提供することを目的としている。
【課題を解決するための手段】
【０００７】
上記課題を解決する建柱作業用補助具の発明は、柱状構造物の下端部よりも大きめの筒形状に形成されて、掘削穴内に設置した後に前記柱状構造物の下端部を内部に差し込んだ状態にして該柱状構造物の下端部との間を埋め戻すことにより柱状構造物を所望の位置に立てる建柱作業に用いられる補助具であって、利用対象にされている前記柱状構造物の種別に応じた長さおよび太さの前記下端部を内部に差込可能な寸法の前記筒形状に形成されており、前記筒形状の側面には、前記柱状構造物の種別に応じた長さ毎に対応する位置に凹部が形成されていることを特徴とするものである。
【０００８】
この発明では、例えば、円筒形状の建柱作業用補助具であっても、使用する柱状構造物の下端部の長さに対応する位置の側面に形成されている凹部に切断道具の刃先を位置させて切断作業を開始することができ、その刃先が凹部の最底部に案内位置させる状態で切断することができる。
【発明の効果】
【０００９】
このように本発明によれば、切断道具の刃先を凹部の最底部に案内位置させて切断作業を開始することができるので、建柱作業用補助具を、使用する柱状構造物の下端部の長さに合わせて容易に切断することができる。
【００１０】
したがって、例えば、斜面（法面）やコンクリートブロック内などのように先に柱状構造物を設置することのできない場合に、その柱状構造物の下端部の寸法形状に合わせて容易に切断して調整した建柱作業用補助具を建柱する位置に予め埋設・準備しておくことができる。
【図面の簡単な説明】
【００１１】
【図１】本発明に係る建柱作業用補助具の一実施形態を示す図であり、その全体構成を示す斜視図である。
【図２】その要部構成を示す一部拡大縦断面図である。
【図３】その他の実施形態の要部構成を示す図であり、（ａ）はその一部拡大正面図、（ｂ）はその一部拡大縦断面図である。
【図４】その他の実施形態の全体構成を示す斜視図である。
【発明を実施するための形態】
【００１２】
柱状構造物の下端部よりも大きめの筒形状（断面が円形や多角形の筒形状）に形成されて、掘削穴内に設置した後に前記柱状構造物の下端部を内部に差し込んだ状態にして該柱状構造物の下端部との間を埋め戻すことにより柱状構造物を所望の位置に立てる建柱作業に用いられる補助具であって、利用対象にされている前記柱状構造物の種別に応じた長さおよび太さの前記下端部を内部に差込可能な寸法の前記筒形状に形成されており、前記筒形状の側面には、前記柱状構造物の種別に応じた長さ毎に対応する位置に凹部が形成されていることを基本構成とするのに加えて、次の構成を備えてもよい。
【００１３】
第１の形態としては、前記筒形状の側面には、内部に貫通する貫通穴が複数開口していてもよい。
【００１４】
この構成では、内部に流入する雨水などを貫通穴からも流出させることができ、流入水が底部側に溜まってしまうこと回避することができる。したがって、内部に差し込んだ柱状構造物が水に使った状態になったまま劣化してしまうことを防止することができる。
【００１５】
第２の形態としては、前記筒形状は上側ほど開口面積が大きくなる、所謂、漏斗形状に形成してもよい。
【００１６】
この構成では、内部に流入して内壁面を流れる雨水などを貫通穴から積極的に流出させることができ、貫通穴を形成する効果をより高めることができる。
【００１７】
第３の形態としては、前記貫通穴には土砂の通過を制限するメッシュ部材を設置していてもよい。
【００１８】
この構成では、予め埋設しておく筒形状の建柱作業用補助具内に土砂が貫通穴から流入してしまうことを制限することができる。したがって、柱状建造物の下端部を差し込む際に内部の土砂を改めて取り除く作業を省くことができる。
【００１９】
以下、図面を参照して、本発明の実施形態について詳細に説明する。図１および図２は本発明に係る建柱作業用補助具の一実施形態を示す図である。
【００２０】
図１において、建柱作業用補助具１０は、不図示の電柱（柱状構造物）の下端部を地盤内に埋設して立てた状態に設置する建柱作業を行なう際に利用可能に、例えば、鋼鉄を両端部の開口する円筒形状に形成することにより作製されており、建柱対象の最大の電柱の下端部よりも大きな内径を有するとともに、その下端部を内部に十分に収容することができる程度の長さの円筒形状に設定されている。
【００２１】
この建柱作業用補助具１０は、建柱する電柱の種別に応じた埋設する下端部の長さに対応する位置を含んで一定間隔で連続する複数個所の外周面に、図２に示すように、その全周方向に延在して凹む切断溝（凹部）１１が形成されており、その切断溝１１の間には、均等間隔の３箇所で開口する貫通穴１２が形成されている。
【００２２】
このため、建柱作業用補助具１０は、電柱の種別に応じた下端部に対応する長さに切断する際には、その対応する位置に形成されている切断溝１１に合わせるように、例えば、グラインダの刃を当てると、その切断溝１１の底部１１ａに向かうように案内されて、その切断位置から逃げることなく、安定した状態で切断することができる。なお、切断溝１１は、電柱の下端部の長さ毎に厳密に対応する位置に形成されている必要はなく、必要な長さ以上になるように切断できればよい。
【００２３】
そして、その建柱作業用補助具１０は、電柱の設置位置を掘削した掘削穴内に予め埋設して、その内部に土砂が入り込まないように、また、作業者などの通行人が内部に落下などすることがないように蓋をした状態にして、例えば、斜面（法面）を形成する土木工事などが終了した後に、その内部に電柱の下端部を差し込んで間に土砂を入れて振動させるなどして硬く締める状態に埋め戻す建柱作業を完了する。
【００２４】
また、この建柱作業用補助具１０は、切断溝１１間の複数個所に貫通穴１２が開口しているので、電柱の設置後に内部に侵入する雨水などが内部に溜まってしまうことがなく、貫通穴１２から積極的に流出させることができ、電柱の下端部が浸水した状態のままになって劣化してしまうことを回避することができる。
【００２５】
このように本実施形態においては、グラインダの刃先が逃げてしまうことなく、建柱作業用補助具１０を所望の位置の切断溝１１で容易に切断することができ、その電柱の建柱後には、その建柱作業用補助具１０内に雨水などが溜まらないようにして電柱が劣化してしまうことを回避することができる。
【００２６】
本実施形態の他の態様としては、図３に示すように、建柱作業用補助具１０の貫通穴１２をメッシュ２１で蓋をしてもよい。この場合には、内部からの雨水などの流出を妨げることなく、電柱の設置前に内部に土砂Ｓが流入してしまうことを効果的に制限することができる。
【００２７】
また、図４に示すように、建柱作業用補助具１０の形状を小さな傾斜で上部側の方が大きく開口する漏斗形状に形成してもよい。この場合には、内部に流入する雨水などを積極的に内面１０ａの表面で流れるようにして、より多くの雨水を貫通穴１２から外部に流出させるようにできる。また、電柱の下端部の太さに応じた箇所で切断溝１１を切断するようにすることができ、例えば、太めの下端部の場合には大径の開口Ｄ１側から長さＬ１になるように切断して利用する一方、細めの下端部の場合には小径の開口Ｄ２側から長さＬ２になるように切断して利用することができる。
【産業上の利用可能性】
【００２８】
これまで本発明の一実施形態について説明したが、本発明は上述の実施形態に限定されず、その技術的思想の範囲内において種々異なる形態にて実施されてよいことは言うまでもない。
【符号の説明】
【００２９】
１０……建柱作業用補助具      １１……切断溝      １２……貫通穴      ２１……メッシュ
【図１】
2011021438.tif 000003
【図２】
2011021438.tif 000004
【図３】
2011021438.tif 000005
【図４】
2011021438.tif 000006